(57)【要約】【課題】遮蔽壁としてルーバーの効果を最大限に発揮でき、必要に応じてバルコニー側から簡単にルーバー単体の交換をすることができる住宅建物の遮蔽壁構造を提供する。【解決手段】住宅建物１のバルコニー１０の外周縁部からフレーム１１が立設され、このフレーム１１に取付金具２を介して複数のルーバー片３が取り付けられてなる遮蔽壁構造であって、取付金具は、当接面２１と、ルーバー片当接面２２と、ルーバー片係止部２３とを具備して構成され、フレーム側面１１ａの長手方向全体にわたって複数の取付金具２の当接面２１が固定されるとともに、複数のルーバー片３は、それぞれ取付金具２のルーバー片係止部２３に外面３４を係止させるようにして内面３３が各ルーバー片当接面２２に当接され、下縁３１がバルコニー１０内側で上縁３２が外側となった傾斜状態でルーバー片当接面２２にビス５で固定されてなる遮蔽壁構造。【選択図】  図１
2008013967.tif 000002
【特許請求の範囲】
【請求項１】
住宅建物のバルコニーの外周縁部からフレームが立設され、このフレームに取付金具を介して複数のルーバー片が取り付けられてなる遮蔽壁構造であって、
取付金具は、フレームの側面に当接され、少なくとも２箇所以上でフレームにボルト固定するためのボルト孔が設けられた当接面と、この当接面から延設され、ルーバーの内面の少なくとも下半部に当接され、ルーバー片の内面にビス固定するビス孔が設けられたルーバー片当接面と、この当接状態で、ルーバー片当接面からルーバー片の下縁部を経て外面側へと若干突出するように延設されたルーバー片係止部とを具備して構成され、
フレーム側面の長手方向全体にわたって複数の取付金具の当接面が固定されるとともに、複数のルーバー片は、それぞれ取付金具のルーバー片係止部に外面を係止させるようにして内面が各ルーバー片当接面に当接され、下縁がバルコニー内側で上縁が外側となった傾斜状態でルーバー片当接面にビス固定されてなることを特徴とする住宅建物の遮蔽壁構造。
【発明の詳細な説明】
【技術分野】
【０００１】
本発明は、住宅建物のバルコニーの手摺り壁として利用される遮蔽壁構造に関するものである。
【背景技術】
【０００２】
一般に、住宅建物におけるバルコニーの手摺り壁としては、優れた通風性や採光性が得られるように上辺に手摺りを設けた格子状の鋼製フレームのみで構成したものから、遮蔽性を高めるために、住宅建物の外壁と同材質の壁材で構成したものまで色々なものが提案されている。
【０００３】
従来より、このようなバルコニーの手摺り壁において、風の調整ができるように、手摺り壁の一部にルーバーを設けたものが提案されている（特許文献１参照）。
【特許文献１】特開第２７６７５７６号公報
【発明の開示】
【発明が解決しようとする課題】
【０００４】
しかし、上記従来のようにルーバーを有するバルコニーの手摺り壁の場合、ルーバーは角度調整可能なのものであるため、個々のルーバーの角度が異なると、各ルーバーが乱れて見えて外観が悪化するといった不都合を生じることとなる。そのため、個々のルーバーを連動させて各ルーバーが乱れないようにすることも考えられるが、この場合は構造が複雑化することとなる。
【０００５】
また、上記従来のルーバーは一部に設けたものであるため、ルーバーによる通風や採光の効果を十分に発揮することができない。
【０００６】
そこで本発明者らは、バルコニーの手摺り壁全体を、角度調整できない固定化したルーバーで構成することを考えた。
【０００７】
しかし、この場合、ルーバーは、鋼製フレームの手摺り壁や外壁素材の手摺り壁と異なり、各ルーバー間に間隙を存して設けられたものであるため、個々のルーバーが単品で損傷することもあり、このような場合にルーバーを交換しなければならないが、外部足場を組まなければならなかったり、補修作業が大掛かりになってしまうことが懸念される。
【０００８】
また、固定化したルーバーの場合、その時の好みや季節に応じて通風性や採光性などに必要とされる条件が変わった場合、簡単に対応することができない。
【０００９】
本発明は、係る実情に鑑みてなされたものであって、遮蔽壁としてルーバーの効果を最大限に発揮でき、しかも必要に応じてバルコニー側から簡単にルーバー単体の交換をすることができる住宅建物の遮蔽壁構造を提供することを目的としている。
【課題を解決するための手段】
【００１０】
上記課題を解決するための本発明の住宅建物の遮蔽壁構造は、住宅建物のバルコニーの外周縁部からフレームが立設され、このフレームに取付金具を介して複数のルーバー片が取り付けられてなる遮蔽壁構造であって、取付金具は、フレームの側面に当接され、少なくとも２箇所以上でフレームにボルト固定するためのボルト孔が設けられた当接面と、この当接面から延設され、ルーバーの内面の少なくとも下半部に当接され、ルーバー片の内面にビス固定するビス孔が設けられたルーバー片当接面と、この当接状態で、ルーバー片当接面からルーバー片の下縁部を経て外面側へと若干突出するように延設されたルーバー片係止部とを具備して構成され、フレーム側面の長手方向全体にわたって複数の取付金具の当接面が固定されるとともに、複数のルーバー片は、それぞれ取付金具のルーバー片係止部に外面を係止させるようにして内面が各ルーバー片当接面に当接され、下縁がバルコニー内側で上縁が外側となった傾斜状態でルーバー片当接面にビス固定されてなるものである。
【発明の効果】
【００１１】
以上述べたように、本発明によると、フレームに取り付けた取付金具のルーバー片係止部に外面を係止させるようにして内面を各ルーバー片当接面に当接してビス固定しているだけで、しかもルーバー片は、下縁がバルコニー内側で上縁が外側となった傾斜状態なので、各ルーバー片は、バルコニー内から容易にビス固定して取り付けることができる。
【００１２】
しかも各ルーバー片は、外面の下縁部がルーバー片係止部に若干係止しているだけなので、ルーバー片と、ルーバー片係止部との係止および係止解除を容易に行うことができる。したがって、外部足場を組むことなく、バルコニー内からルーバー片を搬入して取り付けたり、また取り外したルーバー片をバルコニー内へと容易に取り込むことができる。
【００１３】
しかもこのようにして取り付けられた各ルーバー片は、下縁がバルコニー内側で上縁が外側となった傾斜状態なので、外部からの視線を遮りながら、太陽光を取り込むことができる。
【発明を実施するための最良の形態】
【００１４】
以下、本発明の実施の形態を図面を参照して説明する。
【００１５】
図１は、遮蔽壁構造の全体構成の概略を示し、図２は同遮蔽壁構造の要部を示し、図３および図４は同遮蔽壁構造を用いた住宅建物１を示している。
【００１６】
すなわち、この遮蔽壁構造は、住宅建物１のバルコニー１０の外周縁部からフレーム１１が立設され、このフレーム１１に取付金具２を介して複数のルーバー片３が取り付けられてなる遮蔽壁構造であって、フレーム１１の側面の長手方向全体にわたって複数の取付金具２が固定され、複数のルーバー片３は、それぞれの取付金具２に、下縁３１がバルコニー１０の内側で上縁３２が外側となった傾斜状態でビス固定されてなるものである。
【００１７】
住宅建物１は、二階１２の一側壁面１ａの長手方向全体にわたってバルコニー１０が形成されている。このバルコニー１０の外周縁部には、間隔を存して複数のフレーム１１が立設されている。各フレーム１１は、二階１２の天井付近までの高さとなされ、上端部は住宅建物１との間で連結されている。また、各フレーム１１は、側面１１ａの外面１１ｂ寄りの位置に、等間隔で上から下まで複数個のボルト固定用の孔１１ｃが穿孔されている。
【００１８】
取付金具２は、当接面２１と、ルーバー片当接面２２と、ルーバー片係止部２３とを具備して構成されている。
【００１９】
当接面２１は、フレーム１１の側面１１ａに当接される板状に形成されており、上下２箇所に設けられたボルト孔２１ａを介してフレーム１１の外面１１ｂ寄りの側面１１ａにボルトナット４で固定することができるようになされている。
【００２０】
ルーバー片当接面２２は、取付金具２をフレーム１１に固定した状態で、このフレームの外面１１ｂよりも屋外側に斜め上方に向かって、当接面２１の２箇所からそれぞれ延設するようになされている。それぞれのルーバー片当接面２２は、ルーバー片３の内面３３の下半部に当接することができるようになされている。また、ルーバー片当接面２２の延設基端部側と延設先端部側の２箇所には、この当接状態でルーバー片３にビス５で固定するためのビス孔２２ａが穿孔されている。このルーバー当接面２２にルーバー片３を当接してビス５で固定した状態で、ルーバー片３は、下縁３１がバルコニー１０の内側で上縁３２が外側となった傾斜状態でフレーム１１に対して直行する方向に固定することができる。
【００２１】
ルーバー片係止部２３は、ルーバー片当接面２２にルーバー片３を当接した状態で、ルーバー片当接面２２の延設基端部から、ルーバー片３の下縁３１を経て外面３４側へと若干突出するように延設されている。
【００２２】
ルーバー片３は、幅約１５０ｍｍ、厚さ約１５ｍｍの長尺の木製板材からなり、フレーム１１の間隔にあわせた長さに切断されている。ルーバー片３の内面３３と下縁３１との角部は、水切り加工された切欠部３ａが形成されている。この切欠部３ａにより、ルーバー片３を伝って雨水がバルコニー１０内へと飛散するのを防止することができるようになされている。
【００２３】
次に、この遮蔽壁構造の施工手順について説明する。
【００２４】
まず、バルコニー１０の外周縁部にフレーム１１を立設し、フレーム１１の両側面１１ａまたは片側面１１ａに長手方向に沿って上から下まで複数個の取付金具２をボルト４で固定する。
【００２５】
次いで、最下位にある取付金具２のルーバー片係止部２３にルーバー片３の外面３４を係止させるようにしてルーバー片３の内面３３をルーバー片当接面２２に当接し、バルコニー１０の内側からルーバー片当接面２２を介してルーバー片３にビス５を固定する。
【００２６】
この固定の際、各ルーバー片３の切欠部３ａは、ルーバー片３の内面３３と下縁３１との角部に位置するように気を付ける。
【００２７】
以下、各取付金具２に同じ要領でルーバー片３を固定して施工を完了する。
【００２８】
このようにして施工された遮蔽壁構造は、各ルーバー片３の下縁３１がバルコニー１０の内側で、上縁３２が外側となった傾斜状態で固定される。
【００２９】
したがって、地上からは、視線を遮ることができ、日光は、バルコニー１０内に取り込むことができることとなる。そのため、天井付近までの高さに延設したフレーム１１の高さ全体にルーバー片３を設けても、バルコニー１０内が暗くなることも無く、閉鎖的でありながら明るい空間を得ることができる。また、外観からは、ルーバー片３が二階の高さ全体に設けられているため、ルーバー片３の背後がバルコニー１０であることを感じさせることなく、住宅建物１と一体化させて優れた外観を得ることができる。
【００３０】
また、この施工完了状態で、ルーバー片３は、幅約１５０ｍｍのうち、約３３ｍｍが上側のルーバー片３によってオーバーラップされるようになっており、ルーバー片当接面２２は、ルーバー片３の内面３３の下半部のうち、オーバーラップされていない部分に当接するようになされている。したがって、固定しようとするルーバー片３の上側に既にルーバー片３が固定されているような状況であっても、バルコニー１０の内部からは、ルーバー片当接面２２を介してルーバー片３を容易にビス５で固定したり、また、固定したルーバー片３のビス５を容易に取り外したりすることができる。
【００３１】
そのため、何れかの高さの位置にあるルーバー片３を損傷して交換しなければならないような状況であっても、バルコニー１０内からビス５を外してルーバー片係止部２３の係止を解除するだけで、容易にルーバー片３をバルコニー１０内に取り込んで取り外すことができる。また、ルーバー片３を容易に取り外すことが可能になることで、その時の季節や気分に応じて遮蔽壁の構成を変えることができる。例えば、フレーム１１の高さ全体にルーバー片３を設けた状態から、通常の腰壁程度の高さにしたり、この腰壁の高さに設けられたルーバー片３に加えて視線の高さ位置に一部分だけルーバー片３をプラスしたり、といった具合に、ルーバー片３の着脱で、バルコニー１０を閉鎖的にしたり開放的にしたり自由に構成することが簡単にできることとなる。これらルーバー片３の着脱は、施工用の外部足場を組まなくてもバルコニー１０内から容易に行うことができる。
【００３２】
また、各ルーバー片３は、下縁３１がバルコニー１０の内側で、上縁３２が外側となった傾斜状態で固定されているため、児童などがルーバー片３に足を掛けてよじ登るといったことが行い難くなり、転落事故などを防止して安全性の向上を図ることができる。
【００３３】
なお、本実施の形態において、遮蔽壁構造が設けられるバルコニー１０は、二階１２の一側壁面１ａの長手方向全体にわたって形成されているが、この一側壁面１ａの一部分のみに形成されたものであってもよい。
【００３４】
また、ルーバー片３は、二階１２のバルコニー１０の部分のみに設けられているが、図４に示すように、一部分または全部が（図４では一部分）、一階１３まで延設するようになされたものであてっもよい。この場合、住宅建物１との一体感をより一層高めることができることとなる。
【００３５】
また、この遮蔽壁構造は、バルコニー１０の部分のみに設けられているが、バルコニー１０だけでなく、外壁や開口部の前にも設置してもよい。これにより、防犯や目隠しのための窓の面格子などとしても利用でき、その場合でもデザインの統一性は損なわれないこととなる。
【産業上の利用可能性】
【００３６】
住宅建物のバルコニーなどの遮蔽壁として利用できる。
【図面の簡単な説明】
【００３７】
【図１】本発明に係る住宅建物の遮蔽壁構造の全体構成の概略を示す垂直断面図である。
【図２】（ａ）は本発明に係る住宅建物の遮蔽壁構造において取付金具を用いてフレームにルーバー片を固定した状態を示す側面図、（ｂ）同斜視図である。
【図３】本発明に係る住宅建物の遮蔽壁構造の全体構成の概略を示す水平断面図である。
【図４】本発明に係る住宅建物の遮蔽壁構造の全体構成の概略を示す斜視図図である。
【符号の説明】
【００３８】
１  住宅建物
１０  バルコニー
１１  フレーム
１１ａ  側面
２  取付金具
２１  当接面
２１ａ  ボルト孔
２２  ルーバー片当接面
２２ａ  ビス孔
２３  ルーバー片係止部
３  ルーバー片
３１  下縁
３２  上縁
３３  内面
３４  外面
４  ボルトナット
５  ビス
【図１】
2008013967.tif 000003
【図２】
2008013967.tif 000004
【図３】
2008013967.tif 000005
【図４】
2008013967.tif 000006